(57)【特許請求の範囲】
【請求項１】
巻取装置の巻取軸に取り付けられ、フィルムの巻き取りに用いられるフィルム巻取用ガイドであって、
前記巻取軸を通す開口部が形成された円板状の本体部と、
離型性を有すると共に、前記本体部の外周縁からはみ出るように前記本体部の少なくとも前記フィルム側の一方面に設けられたシート材と、を備え、
前記シート材の硬度が前記本体部の硬度よりも小さいことを特徴とするフィルム巻取用ガイド。
【請求項２】
巻取装置の巻取軸に取り付けられ、フィルムの巻き取りに用いられるフィルム巻取用ガイドであって、
前記巻取軸を通す開口部が形成された円板状の本体部と、
離型性を有すると共に、前記本体部の外周縁からはみ出るように前記本体部の少なくとも前記フィルム側の一方面に設けられたシート材と、を備え、
前記本体部の外周縁からの前記シート材のはみ出し量が前記本体部の厚さと略同等であることを特徴とするフィルム巻取用ガイド。
【請求項３】
前記シート材の摩擦抵抗が前記本体部の摩擦抵抗よりも小さいことを特徴とする請求項１又は２記載のフィルム巻取用ガイド。
【発明の詳細な説明】
【技術分野】
【０００１】
本発明は、フィルムを巻き取る際に用いられるフィルム巻取用ガイドに関する。
【背景技術】
【０００２】
従来、フィルムを巻き取る際には、巻取装置が用いられている（例えば特許文献１参照）。巻取装置の巻取軸には、フィルムの幅に応じて複数のフィルム巻取用ガイドが複数固定されており、巻取軸が高速で回転することによって、フィルム巻取用ガイド間でフィルムの巻重体が形成されるようになっている。
【先行技術文献】
【特許文献】
【０００３】
【特許文献１】特許第３６２７１５５号明細書
【発明の概要】
【発明が解決しようとする課題】
【０００４】
上述したフィルム巻取用ガイドの形成には、ある程度の強度を確保する観点からアクリル板が用いられてきた。しかしながら、このようなフィルム巻取用ガイドでは、巻き取り中のフィルムが内側面に付着し、巻き取り不良が発生する場合があった。また、フィルム巻取用ガイドの外周縁に巻き取り中のフィルムが当たると、フィルムの損傷（粘着層の剥離など）が生じる場合があった。
【０００５】
本発明は、上記課題の解決のためになされたものであり、フィルムの付着や損傷の発生を抑え、フィルム巻き取りの歩留まりを向上させることができるフィルム巻取用ガイドを提供することを目的とする。
【課題を解決するための手段】
【０００６】
上記課題の解決のため、本発明に係るフィルム巻取用ガイドは、巻取装置の巻取軸に取り付けられ、フィルムの巻き取りに用いられるフィルム巻取用ガイドであって、巻取軸を通す開口部が形成された円板状の本体部と、離型性を有すると共に、本体部の外周縁からはみ出るように本体部の少なくとも一方面側に設けられたシート材と、を備えたことを特徴としている。
【０００７】
このフィルム巻取用ガイドでは、円板状の本体部の少なくとも一方面側に離型性を有するシート材が設けられている。これにより、フィルムの巻き取りに際し、巻き取り中のフィルムが内側面に付着することを抑制できる。さらに、タック性を有するフィルムを巻き取る際にも、フィルムが内側面に付着することを十分に抑制することが可能となる。また、このフィルム巻取用ガイドでは、シート材が本体部の外周縁からはみ出るように本体部の一方面側に設けられている。これにより、本体部の外周縁がシート材のはみ出し部分によって隠れることとなり、本体部の外周縁に巻き取り中のフィルムが当たったとしても、フィルムに損傷が生じることを抑制できる。したがって、このフィルム巻取用ガイドを用いてフィルムの巻き取りを行えば、フィルム巻き取りの歩留まりを向上させることができる。
【０００８】
また、シート材の摩擦抵抗が前記本体部の摩擦抵抗よりも小さいことが好ましい。この場合、フィルム巻取用ガイドを長期間使用した場合であっても、シート材の離型性が損なわれにくくなる。
【０００９】
また、シート材の硬度が前記本体部の硬度よりも小さいことが好ましい。この場合、フィルム巻取用ガイドの外周縁に巻き取り中のフィルムが当たったとしても、フィルムに損傷が生じることをより確実に抑制できる。
【００１０】
また、本体部の外周縁からのシート材のはみ出し量が本体部の厚さと略同等であることが好ましい。シート材のはみ出し量が過剰になると、フィルムを巻き取る際のガイドとしての機能が損なわれるおそれがある。したがって、シート材のはみ出し量を本体部の厚さと略同等とすることによって、ガイドとしての機能を維持しつつ、フィルムの損傷を抑制できる。
【発明の効果】
【００１１】
本発明によれば、フィルムの付着や損傷の発生を抑え、フィルム巻き取りの歩留まりを向上させることができる。
【図面の簡単な説明】
【００１２】
【図１】本発明の一実施形態に係るフィルム巻取用ガイドの使用状態を示す図である。
【図２】図１に示したフィルム巻取用ガイドの平面図である。
【図３】図２の側面図である。
【発明を実施するための形態】
【００１３】
以下、図面を参照しながら、本発明に係るフィルム巻取用ガイドの好適な実施形態について詳細に説明する。
【００１４】
図１は、本発明の一実施形態に係るフィルム巻取用ガイドの使用状態を示す図である。同図に示すように、フィルム巻取用ガイド１は、巻取装置の巻取軸Ｋに取り付けられている。フィルム巻取用ガイド１は、フィルムＦの幅に応じた間隔で、各フィルムＦの両側に配置されている。これにより、巻取軸Ｋが高速で回転すると、フィルム巻取用ガイド１，１間でフィルムＦの巻重体が形成される。
【００１５】
フィルムＦは、タック性を有する長尺幅細のフィルムである。このようなフィルムとしては、例えばフィルム基材の一方面に接着剤層を備えてなるダイボンディングフィルム・異方導電フィルム等が挙げられる。フィルムＦの長さは、例えば１００ｍ程度となっており、フィルムの幅は、例えば２．０ｍｍ〜１５．０ｍｍ程度となっている。
【００１６】
図２は、上述したフィルム巻取用ガイド１の平面図である。また、図３は、その側面図である。図２及び図３に示すように、フィルム巻取用ガイド１は、円板状の本体部２と、本体部２の一方面２ａ側に設けられたシート材とによって構成されている。
【００１７】
本体部２は、フィルムＦをガイドするために十分な強度を有すると共に、加工容易性を有する材料によって形成されている。このような材料としては、例えばアクリルなどが挙げられる。本体部２の中央部分には、巻取軸Ｋを挿通させる円形の開口部２ｂが設けられている。本体部２の直径は、例えば１４ｃｍ〜１６ｃｍとなっており、本体部２の厚さは例えば１ｍｍ程度となっている。
【００１８】
シート材３は、離型性を有すると共に、本体部２よりも摩擦抵抗が小さく、更に本体部２よりも硬度が小さい材料によって形成されている。このような材料としては、例えばポリテトラフルオロエチレンなどが挙げられる。シート材３は、本体部２よりも直径が１ｍｍ程度大きい円形状をなしている。また、シート材３の厚さは、例えば０．０５ｍｍ〜０．１５ｍｍ程度となっている。シート材３の中央部分には、例えば本体部２の開口部２ｂと略同径の円形の開口部３ａが形成されている。このシート材３は、本体部２と同心となるように、本体部２の一方面２ａ側に貼り付けられている。これにより、シート材３の外周縁３ｂは、その全周にわたって、本体部２の厚さと略同等の長さで本体部２の外周縁２ｃからはみ出た状態となっている。
【００１９】
このようなフィルム巻取用ガイド１では、円板状の本体部２の一方面２ａ側に離型性を有するシート材３が設けられている。このフィルム巻取用ガイド１を巻取装置の巻取軸Ｋに装着することにより、フィルムＦの巻き取りに際し、巻き取り中のフィルムＦがガイド１，１間の内側面に付着することを抑制できる。
【００２０】
また、このフィルム巻取用ガイド１では、シート材３の外周縁３ｂが本体部２の外周縁２ｃからはみ出た状態となっている。これにより、本体部２においてフィルムＦ側に位置する外周縁２ｃがシート材３のはみ出し部分によって隠れることとなり、外周縁２ｃ（特に角部）に巻き取り中のフィルムＦが当たったとしても、フィルムＦに損傷が生じることを抑制できる。したがって、このフィルム巻取用ガイド１を用いてフィルムＦの巻き取りを行えば、フィルム巻き取りの歩留まりを向上させることができる。
【００２１】
また、フィルム巻取用ガイド１では、シート材３の摩擦抵抗が本体部２の摩擦抵抗よりも小さくなっている。これにより、フィルム巻取用ガイドを長期間使用した場合であっても、シート材の離型性が損なわれにくくなっている。また、フィルム巻取用ガイド１では、シート材３の硬度が本体部２の硬度よりも小さくなっている。したがって、外周縁２ｃに巻き取り中のフィルムＦが当たったとしても、フィルムＦに損傷が生じることをより確実に抑制できる。
【００２２】
また、フィルム巻取用ガイド１では、本体部２の外周縁２ｃからのシート材３のはみ出し量が本体部２の厚さと略同等となっている。シート材３のはみ出し量が過剰になると、フィルムＦを巻き取る際のガイドとしての機能が損なわれるおそれがある。したがって、シート材３のはみ出し量を本体部２の厚さと略同等とすることによって、ガイドとしての機能を維持しつつ、フィルムＦの損傷を抑制できる。
【００２３】
本発明は、上記実施形態に限られるものではない。例えば上述した実施形態では本体部２の一方面２ａのみにシート材３を設けているが、本体部２の両面にシート材３を設けるようにしてもよい。また、上述した実施形態では、シート材３の外周縁３ｂが全周にわたって本体部２の外周縁２ｃからはみ出た状態となっているが、シート材３の外周縁３ｂの一部だけが本体部２の外周縁２ｃからはみ出ていてもよい。また、本体部２の外周縁２ｃからはみ出たシート材３の外周縁３ｂの全周にわたって所定の間隔で切り込みを設けるようにしてもよい。
【符号の説明】
【００２４】
１…フィルム巻取用ガイド、２…本体部、２ａ…一方面、２ｂ…開口部、２ｃ…外周縁、３…シート材、３ａ…開口部、３ｂ…外周縁、Ｆ…フィルム、Ｋ…巻取軸。
【図１】
0005533142.tif 000002
【図２】
0005533142.tif 000003
【図３】
0005533142.tif 000004